(57)【要約】    【課題】  階段を取付ける場合の作業性を向上し、又作業者の負担を軽減する。    【解決手段】  躯体２の所要位置に取付け補助具８を設け、ささら桁４の上端部６と前記取付け補助具とを係合可能とし、階段取付け時に前記ささら桁上端部と前記取付け補助具とを係合させ、ささら桁の上端を仮支持可能とした。    【選択図】          図１
2005076249.tif 000002
【特許請求の範囲】
【請求項１】
躯体の所要位置に取付け補助具を設け、ささら桁の上端部と前記取付け補助具とを係合可能とし、階段取付け時に前記ささら桁上端部と前記取付け補助具とを係合させ、ささら桁の上端を仮支持可能としたことを特徴とする階段の取付け構造。
【請求項２】
ささら桁の上端を躯体に対して仮支持可能とし、仮支持の状態で前記ささら桁上端部と躯体間の位置調整を可能としたことを特徴とする階段の取付け構造。
【請求項３】
前記取付け補助具は上方に開口する溝を形成し、該溝にささら桁の上端部が落込み可能であり、前記溝の底部には前記ささら桁の上端部の上下方向の位置を調整する位置調整手段が設けられた請求項１の階段の取付け構造。
【発明の詳細な説明】
【技術分野】
【０００１】
本発明は、ユニット化した階段又は現地組立て可能な階段を建屋等の構築・構造物に組込む様にした階段の取付け構造に関するものである。
【背景技術】
【０００２】
コストの低減、工期の短縮、製品精度の向上等の目的で階段の各部位を予め工場で製作し、工場等現場以外の場所で組立てた後、建屋等の構築・構造物に組込むこと、或は階段の各部位を現地で組立てつつ建屋等に組込むことが行われている。
【０００３】
図８、図９により従来の階段の取付け構造について説明する。
【０００４】
図中、１は予め組立てられた主に鋼鉄製の階段、２，３は建屋等の躯体、例えば２階床、床を示している。
【０００５】
前記階段１のささら桁４は、下端部に水平方向に折曲げ形成された下端取付け部５を有し、上端部に鉛直方向に折曲げ形成された上端取付け部６を有し、前記下端取付け部５と前記上端取付け部６の延長は直交する様になっている。
【０００６】
前記階段１を組付ける場合は、工場等で前記階段１を組立て、現場に搬入する。階段を設置場所に据付け、踏板７が水平になる様に、前記上端取付け部６の位置、前記下端取付け部５の位置を調整し、調整が完了すると、前記上端取付け部６を前記２階床２の垂直面２ａにボルト１４等で固定し、更に前記下端取付け部５を床３にボルト等（図示せず）により固定していた。
【０００７】
上記従来の階段の取付け構造では、重量物である階段１を支えながら位置調整を行わなければならず作業性が悪いと共に作業者の負担が大きかった。
【０００８】
尚、階段取付け構造については特許文献１に示されるものがあるが、階段を取付ける具体的な手順等については開示されていない。
【０００９】
【特許文献１】特開平１１−６２６４号公報
【発明の開示】
【発明が解決しようとする課題】
【００１０】
本発明は斯かる実情に鑑み、階段を取付ける場合の作業性を向上し、又作業者の負担を軽減するものである。
【課題を解決するための手段】
【００１１】
本発明は、躯体の所要位置に取付け補助具を設け、ささら桁の上端部と前記取付け補助具とを係合可能とし、階段取付け時に前記ささら桁上端部と前記取付け補助具とを係合させ、ささら桁の上端を仮支持可能とした階段の取付け構造に係り、又ささら桁の上端を躯体に対して仮支持可能とし、仮支持の状態で前記ささら桁上端部と躯体間の位置調整を可能とした階段の取付け構造に係り、更に又前記取付け補助具は上方に開口する溝を形成し、該溝にささら桁の上端部が落込み可能であり、前記溝の底部には前記ささら桁の上端部の上下方向の位置を調整する位置調整手段が設けられた階段の取付け構造に係るものである。
【発明の効果】
【００１２】
本発明によれば、躯体の所要位置に取付け補助具を設け、ささら桁の上端部と前記取付け補助具とを係合可能とし、階段取付け時に前記ささら桁上端部と前記取付け補助具とを係合させ、ささら桁の上端を仮支持可能としたので、取付け作業中に作業者が階段の重量を支える等の負担が大幅に軽減されると共に位置決め作業等作業性が向上する。
【００１３】
又本発明によれば、ささら桁の上端を躯体に対して仮支持可能とし、仮支持の状態で前記ささら桁上端部と躯体間の位置調整を可能とし、更に又前記取付け補助具は上方に開口する溝を形成し、該溝にささら桁の上端部が落込み可能であり、前記溝の底部には前記ささら桁の上端部の上下方向の位置を調整する位置調整手段が設けられたので、階段取付け時の位置調整作業等の作業性が向上するという優れた効果を発揮する。
【発明を実施するための最良の形態】
【００１４】
以下、図面を参照しつつ本発明を実施する為の最良の形態を説明する。
【００１５】
図１中、図８中で示したものと同一のものには同符号を付し、その説明を省略する。
【００１６】
本発明では、階段１の取付け予定位置、特に上端取付け部６が取付けられる位置に取付け補助具８を取付ける。前記上端取付け部６を該取付け補助具８を介して２階床２の垂直面２ａに固定し、更に下端取付け部５を床３に固定する。前記上端取付け部６にはボルト１４が貫通する取付け孔１０が穿設されており、該取付け孔１０は上下方向に長い長孔となっている。
【００１７】
図２、図３により前記取付け補助具８について説明する。
【００１８】
該取付け補助具８の全体の形状は下端部に凹溝９が形成される様に曲げ形成されており、該凹溝９はテーパ状に若干広がっている。前記凹溝９の底部９ａには位置調整手段である少なくとも１本（図示では２本）の調整ネジ１１が垂直に螺通されている。前記取付け補助具８の前記２階床２の垂直面２ａに当接する固定部１２には、所要形状例えば図示される様な上下に長い逃げ孔１３が穿設されている。該逃げ孔１３は前記上端取付け部６を前記２階床２に前記ボルト１４で固定する場合（図１参照）に、該ボルト１４と前記固定部１２が干渉しない様にするものである。
【００１９】
図４により階段１の取付け手順について説明する。尚、以下の説明は、階段の各部位を予め工場で組立て、ユニット化した階段を現地に搬入した場合である。
【００２０】
先ず、前記取付け補助具８を前記垂直面２ａの前記上端取付け部６が固定される部分の左右に皿ネジ１５により取付ける。この時、前記底部９ａは固定予定位置に於ける前記上端取付け部６の下端に対し若干下がった位置となる様に設定する（図４（Ａ）参照）。
【００２１】
前記上端取付け部６を前記凹溝９に落込んで前記上端取付け部６と取付け補助具８とを係合させる。前記左右のささら桁４の上端が前記取付け補助具８に引掛けられた状態となり、前記ささら桁４の上端が仮支持の状態となる。仮支持の状態で前記ささら桁４の下端を概略位置決めする（図４（Ｂ）参照）。
【００２２】
前記底部９ａに前記調整ネジ１１を螺入する。尚、該調整ネジ１１は予め螺入しておいてもよい。前記調整ネジ１１を回すことで、前記上端取付け部６の上下位置が調整される。前記踏板７が水平となる様に前記上端取付け部６の上下位置を調整し、前記踏板７が水平に調整された状態で、前記ボルト１４により上端取付け部６を垂直面２ａに固定する（図４（Ｃ）参照）。尚、完全に位置決めされた後、前記上端取付け部６を固定する場合は、前記取付け孔１０は長孔でなくともよい。
【００２３】
前記上端取付け部６が固定されると、前記下端取付け部５が前記床３に固定され、前記階段１の取付けが完了する。
【００２４】
而して、前記階段１の重量は、前記取付け補助具８に支持され、前記階段１の上端の位置調整を前記調整ネジ１１で行えるので、作業者の負担が大幅に軽減されると共に作業性が著しく向上する。
【００２５】
尚、前記ささら桁４上端の位置調整を前記調整ネジ１１で行ったが、該調整ネジ１１を省略し、位置調整を前記底部９ａに適宜スペーサを挿入することで行ってもよい。
【００２６】
又、前記取付け補助具８の前記逃げ孔１３を上端が開放する形状とし、又前記上端取付け部６を固定した状態で、前記皿ネジ１５が露出する様にし、前記上端取付け部６を仮止めし（この場合前記下端取付け部５を先に固定する）、前記皿ネジ１５を抜去することで、前記取付け補助具８は下方に引出すことができ、前記取付け補助具８を取外した状態で、前記上端取付け部６の固定が可能となる。
【００２７】
更に、階段各部位を現地に搬入し、現地で組立てながら建屋等に取付けることも同様にして行える。即ち、先ず前記取付け補助具８を使用して、左右のささら桁４を取付け位置決めし、次に踏板７等を順次ささら桁４に組込み、階段１を完成させる。
【００２８】
図５、図６は第２の実施の形態を示している。
【００２９】
階段１が建屋の壁面１６に沿って設置される場合も、前記第１の実施の形態の適用が可能であるが、以下の如く第２の実施の形態の適用も可能である。
【００３０】
階段１が建屋の壁面１６に沿って設置される場合、前記壁面１６に当接する側の前記ささら桁４の上部に、係合孔１７を穿設する。前記壁面１６の前記係合孔１７に対応する部分に前記取付け補助具８を固着する。
【００３１】
前記階段１を取付ける場合、先ず、前記係合孔１７を介して前記ささら桁４の上端部を前記取付け補助具８に引掛け、前記階段１の上部を前記取付け補助具８を介して前記壁面１６に支持させた状態とする。次に、前記上端取付け部６、下端取付け部５を所定位置に位置決めし、ボルト１４によりそれぞれ前記垂直面２ａ、床３に固定する。この場合、前記係合孔１７を大きく穿設すれば、前記調整ネジ１１を前記取付け補助具８に設けることができ、前記調整ネジ１１で前記ささら桁４上端の位置調整が可能であり、又前記調整ネジ１１が設けられない場合でも、前記階段１の重量が前記取付け補助具８で支持されるので、作業者の負担は大幅に軽減される。
【００３２】
図７は他の取付け補助具１８を示すものである。該取付け補助具１８は板材を、底部９ａが形成される様にクランク状に屈曲して成形したものであり、下部が固定部１２を形成し、上部が垂直面２ａとの間に凹溝９を形成する。
【００３３】
前記取付け補助具１８を垂直面２ａに取付けた場合も、先ず前記ささら桁４の上端取付け部６を前記凹溝９に落込み、前記階段１の上端を前記取付け補助具１８に仮支持させる。その後の取付け手順は上記第１の実施の形態と同様である。
【００３４】
前記取付け補助具１８を用いた場合、前記上端取付け部６は前記垂直面２ａに直付けとなり、前記取付け補助具１８は前記階段１の設置後除去することができる。
【００３５】
尚、取付け補助具を躯体側に立設されたピンとし、ささら桁４には該ピンが嵌合する上下に長い長孔を設けてもよい。
【００３６】
更に、図１等では、左右のささら桁の各上端取付け部が取付けられる位置に、それぞれ幅寸法の短い２個の取付け補助具を設けて、階段の位置調整や取付けを行っているが、その代わりに、左右のささら桁の各上端取付け部にわたる幅寸法の長い１個の取付け補助具としてもよく、その場合、位置調整手段は、調整が必要な箇所であるささら桁の上端取付け部の位置に対応して設ける様にする。
【００３７】
尚、本発明は建屋内の階段に限らず、屋外に設置される例えば非常階段等にも実施可能であることは言う迄もない。
【図面の簡単な説明】
【００３８】
【図１】本発明の実施の形態を示す斜視図である。
【図２】該実施の形態に使用される取付け補助具の斜視図である。
【図３】該取付け補助具の側面図である。
【図４】（Ａ）（Ｂ）（Ｃ）は本発明に於ける階段の取付け手順を示す説明図である。
【図５】本発明の他の実施の形態を示す斜視図である。
【図６】図５のＡ矢視図である。
【図７】他の取付け補助具を示す斜視図である。
【図８】従来例を示す斜視図である。
【図９】従来例の取付け手順を示す説明図である。
【符号の説明】
【００３９】
１              階段
２              ２階床
２ａ            垂直面
３              床
４              ささら桁
６              上端取付け部
７              踏板
８              取付け補助具
９              凹溝
１１            調整ネジ
【図１】
2005076249.tif 000003
【図２】
2005076249.tif 000004
【図３】
2005076249.tif 000005
【図４】
2005076249.tif 000006
【図５】
2005076249.tif 000007
【図６】
2005076249.tif 000008
【図７】
2005076249.tif 000009
【図８】
2005076249.tif 000010
【図９】
2005076249.tif 000011